(57)【要約】【課題】簡単な構造の部材を組合せるだけで、強度に優れたラックを迅速に組立てることができるとともに、安全性や意匠性にも優れた棚板の取付構造を提供する。【解決手段】棚板(12)と、四角柱状の支柱(14)と、当該支柱(14)の角部を跨ぐように固定される棚固定金具(16)と、棚板(12)におけるコーナー部(12b)の内側に固定されるコーナー金具(18)と、該棚固定金具(16)とコーナー金具(18)とを締結するボルト(20)とで形成される棚板の取付構造であって、棚板(12)のコーナー部(12b)は、支柱(14)の角部が収まるように平面視で略直角二等辺三角形状に切欠されており、コーナー金具(18)は、棚板(12)の隣接する側面部(12a)同士を架設し、ボルト(20)の頭部を係止する垂直片(18a)と、当該垂直片(18a)の下端縁が水平方向に延ばされ、その先端に支柱(14)外面の棚固定金具(16)の固定位置近傍に当接する支柱当接面(30)が形成された下側水平片(18c)とを有する。【選択図】図５
2015084932.tif 000002
【特許請求の範囲】
【請求項１】
矩形平板材の周縁を折り曲げて四辺に側面部(１２ａ)が形成された棚板(１２)と、その棚板(１２)のコーナー部(１２ｂ)を支持する四角柱状の支柱(１４)と、当該支柱(１４)の角部を跨ぐように固定される平面視で略コ字状の棚固定金具(１６)と、上記棚板(１２)におけるコーナー部(１２ｂ)の内側に固定されるコーナー金具(１８)と、上記棚板(１２)の内側から上記棚固定金具(１６)の雌ねじ孔(２４)に螺合され、該棚固定金具(１６)と上記のコーナー金具(１８)とを締結するボルト(２０)とで形成される棚板の取付構造であって、
上記棚板(１２)のコーナー部(１２ｂ)は、上記支柱(１４)の角部が収まるように平面視で略直角二等辺三角形状に切欠されており、
上記コーナー金具(１８)は、隣接する側面部(１２ａ)同士を架設し、上記ボルト(２０)が挿通されると共にその頭部を係止するボルト挿通孔(２８)が設けられた垂直片(１８ａ)と、当該垂直片(１８ａ)の下端縁が水平方向に延ばされ、その先端に上記支柱(１４)の外面における棚固定金具(１６)の固定位置近傍に当接する支柱当接面(３０)が形成された下側水平片(１８ｃ)とを有することを特徴とする棚板の取付構造。
【発明の詳細な説明】
【技術分野】
【０００１】
この発明は、棚板の取付構造に関し、より詳しくは、ＡＶ機器やＯＡ機器といった機材等を載置するラックに好適な棚板の取付構造に関する。
【背景技術】
【０００２】
この種の取付構造には、従来では、下記の特許文献１(日本国・実用新案登録第３０８５４７５号公報)に記載されたものがある。その従来技術は、次のように構成されている。
板材を折り曲げて天板の四辺に側面部が形成された棚板と、棚板のコーナー部を支持するＬ形アングルの支柱と、棚板のコーナー部の内側から当接されるＬ形片からなる固定金具と、支柱の外面側から棚板のコーナー部を貫通して固定金具のねじ孔に螺合されるボルトとを備える。上記支柱の左右側面部には該側面部を内方へ押出すことにより圧出形成された係止突起が設けられ、他方棚板の側面部及び固定金具の左右側辺部には上記支柱の係合突起が嵌入される係止孔が形成される。そして、上記ボルトを支柱の外面側から棚板のコーナー部を貫通して固定金具のねじ孔に螺締するとともに、支柱の係止突起を棚板と固定金具の係止孔に嵌入係止する。
【先行技術文献】
【特許文献】
【０００３】
【特許文献１】特開平１０−１４６８１８号公報
【発明の概要】
【発明が解決しようとする課題】
【０００４】
しかしながら、上記の従来技術には、次のような問題が有る。
すなわち、棚板のコーナー部を支柱の内面に当てがうのみで、支柱の内面に突設した１つの係止突部で押え用の固定金具と棚板の側板及び支柱の３者が一体的に係合し、この状態で支柱の外面部中央に１本のボルトを通して締結するだけで簡単にワンタッチで迅速にラックを組立てることができる反面、支柱に係止突起を圧出形成したり、固定金具や棚板に係止孔を穿設しなければならない等、ラックを構成する各部材の加工に手間とコストがかかり、経済的にラックを提供することができないという問題が有る。
【０００５】
また、支柱がＬ形アングルで構成されているため、棚板に重量物を載置した場合に、強度不足に陥る可能性を否定できない。
さらに、棚板を支柱に固定するためのボルトが支柱の外面側に取付けられる構造であることから、安全性や意匠性に劣るという問題も有った。
【０００６】
それゆえに、本発明の主たる課題は、簡単な構造の部材を組合せるだけで、強度に優れたラックを迅速に組立てることができると共に、安全性や意匠性にも優れた棚板の取付構造を提供することにある。
【課題を解決するための手段】
【０００７】
上記の目的を達成するため、本発明は、例えば、図１から５に示すように、棚板の取付構造を次のように構成した。
矩形平板材の周縁を折り曲げて四辺に側面部１２ａが形成された棚板１２と、その棚板１２のコーナー部１２ｂを支持する四角柱状の支柱１４と、当該支柱１４の角部を跨ぐように固定される平面視で略コ字状の棚固定金具１６と、上記棚板１２におけるコーナー部１２ｂの内側に固定されるコーナー金具１８と、上記棚板１２の内側から上記棚固定金具１６の雌ねじ孔２４に螺合され、該棚固定金具１６と上記のコーナー金具１８とを締結するボルト２０とで形成される。上記棚板１２のコーナー部１２ｂは、上記支柱１４の角部が収まるように平面視で略直角二等辺三角形状に切欠されており、上記コーナー金具１８は、隣接する側面部１２ａ同士を架設し、上記ボルト２０が挿通されると共にその頭部を係止するボルト挿通孔２８が設けられた垂直片１８ａと、当該垂直片１８ａの下端縁が水平方向に延ばされ、その先端に上記支柱１４の外面における棚固定金具１６の固定位置近傍に当接する支柱当接面３０が形成された下側水平片１８ｃとを有する。
【０００８】
上記の発明は、次のような作用を奏する。
支柱１４の棚固定金具１６が固定された位置に棚板１２のコーナー部１２ｂを当てがい、棚板１２の内側からコーナー金具１８のボルト挿通孔２８にボルト２０を通すと共に、このボルト２０を棚固定金具１６の雌ねじ孔２４に螺締するだけで、支柱１４への棚板１２の取付けが完了する。
また、棚板１２のコーナー部１２ｂを支持する支柱１４が四角柱状であるため、強度が高く、棚板１２に重量物を載置させることが可能になる。
さらに、この支柱１４と棚板１２とを固定するボルト２０が棚板１２の内側から棚固定金具１６の雌ねじ孔２４に螺合されており、当該ボルト２０がラックの表面側に現れないため、安全性と意匠性に優れたものとなる。
【０００９】
そして、コーナー金具１８の下側水平片１８ｃの先端に支柱当接面３０が形成されているので、棚固定金具１６の雌ねじ孔２４にボルト２０を螺入させていくと、支柱１４における棚固定金具１６の固定部分に引張応力が与えられるが、これと同時に、支柱１４に対して引張応力が与えられる部分近傍に、コーナー金具１８の支柱当接面３０から押圧力が与えられるようになる。その結果、支柱１４と棚板１２との連結の際に支柱１４に加わるこれらの応力が互いに打ち消されるようになり、支柱１４と棚板１２とを連結する際に、支柱１４に与えるダメージを極小化させることができると共に、支柱１４と棚板１２とを強固に連結することができるようになる。
【発明の効果】
【００１０】
本発明によれば、簡単な構造の部材を組合せるだけで、強度に優れたラックを迅速に組立てることができると共に、安全性や意匠性にも優れた棚板の取付構造を提供することができる。
【図面の簡単な説明】
【００１１】
【図１】本発明の棚板の取付構造が採用されたラックの一例を示す斜視図である。
【図２】図１におけるＡ矢示図である。
【図３】図１におけるＡ矢示部分の水平方向拡大部分断面図である。
【図４】本発明における一実施例の棚板の取付構造を分解した分解図である。
【図５】図４の要部を拡大した斜視図である。
【発明を実施するための形態】
【００１２】
以下、本発明を図示実施例に従って説明する。
図１は、本発明の棚板の取付構造が採用されたラック１０の一例を示す斜視図であり、図２は、図１におけるＡ矢示図である。これらの図が示すように、本発明の棚板の取付構造は、棚板１２，支柱１４，棚固定金具１６，コーナー金具１８及びボルト２０で大略構成されている。
【００１３】
棚板１２は、板厚０．５〜２ｍｍ程度の金属薄板からなる矩形平板材で、その周縁が略直角に折り曲げられ、四辺に側面部１２ａが形成されている。また、この棚板１２のコーナー部１２ｂは、後述する支柱１４の角部が収まるように平面視で略直角二等辺三角形状に切欠されている。
なお、この棚板１２は、ラック等において枠を構成する支柱１４に対して略直角に取付けられる部材であり、天板や底板なども含むものである。
【００１４】
支柱１４は、棚板１２のコーナー部１２ｂを支持し、ラック等において枠を構成する部材であり、本実施例では、四角柱状の金属製のものを使用する。そして、この支柱１４の長手方向中央部には、角部を挟んで左右一対設けられ、後述する棚固定金具１６のうち可動式のものの爪部２６が係止される係止穴２２が、支柱１４の長手方向に複数段設けられている。
【００１５】
棚固定金具１６は、支柱１４の角部を跨ぐように固定され、その支柱１４に棚板１２を固定するための金具で、所定の矩形形状に打抜いた板厚２ｍｍ前後の金属薄板を平面視で略コ字状に成形すること等によって製造される。それゆえ、この棚固定金具１６は、互いに対面し、その先端が支柱１４に固定される一対の対向片１６ａと、この一対の対向片１６ａの後端を架設する架設片１６ｂとを有する(図３及び図５参照)。このうち、架設片１６ｂの中央部には、ボルト２０が螺合される雌ねじ孔２４が螺設されている。
【００１６】
また、この棚固定金具１６は、支柱１４に(取付位置が一義的に決まっている)天板や底板を固定する際に使用する固定式のものと、棚板１２の取付高さを可変する際に使用する可動式のものとがある。このうち、固定式のものは、対向片１６ａの先端が溶接等によって支柱１４に固定されるが、可動式のものは、対向片１６ａの先端に、上記の係止穴２２に係合する鍵状の爪部２６が設けられている(図３及び図５参照)。
【００１７】
コーナー金具１８は、棚板１２のコーナー部１２ｂの内側に固定され、上述した棚固定金具１６と協働して支柱１４の所定高さに棚板１２を固定するための金具で、前記コーナー部１２ｂにおいて隣接する側面部１２ａ同士を架設する、板厚２ｍｍ前後の金属薄板からなる垂直片１８ａを有する。この垂直片１８ａには、ボルト２０が挿通されると共にその頭部が係止されるボルト挿通孔２８が穿設される。
【００１８】
また、この垂直片１８ａには、その上端縁が水平方向に延ばされて上側水平片１８ｂが連設されている。この上側水平片１８ｂは、棚板１２のコーナー部１２ｂ裏面に取付けられ、支柱１４に棚板１２を固定する際に、棚固定金具１６の上端に係止される(図４及び図５参照)。
【００１９】
さらに、この垂直片１８ａには、その下端縁が水平方向に延ばされて下側水平片１８ｃが連設されている。この下側水平片１８ｃは、支柱１４に棚板１２を固定する際に棚固定金具１６の外周を囲繞すると共に、その先端に、支柱１４の外面における棚固定金具１６の固定位置近傍に当接する支柱当接面３０が形成されている(図３参照)。
【００２０】
次に、上記構成の棚板１２の取付構造が採用されたラック１０を組立てる際には、先ず始めに、棚固定金具１６が固定された支柱１４角部の位置に棚板１２のコーナー部１２ｂを当てがい、コーナー金具１８の上側水平片１８ｂを棚固定金具１６の上端に係止させると共に、棚固定金具１６における雌ねじ孔２４の位置と、コーナー金具１８におけるボルト挿通孔２８の位置とを合わせる。
続いて、棚板１２の内側からボルト挿通孔２８にボルト２０を通した後、このボルト２０を雌ねじ孔２４に螺締することによって支柱１４への棚板１２のコーナー部１２ｂの取付が完了する。
そして、以上の作業を繰り返すことでラック１０が完成する。
【００２１】
本実施例の棚板１２の取付構造によれば、支柱１４の棚固定金具１６が固定された位置に棚板１２のコーナー部１２ｂを当てがい、棚板１２の内側からコーナー金具１８のボルト挿通孔２８にボルト２０を通すと共に、このボルト２０を棚固定金具１６の雌ねじ孔２４に螺締するだけで、支柱１４への棚板１２の取付けが完了する。
また、棚板１２のコーナー部１２ｂを支持する支柱１４が四角柱状であるため、強度が高く、棚板１２に重量物を載置させることが可能になる。
さらに、この支柱１４と棚板１２とを固定するボルト２０が棚板１２の内側から棚固定金具１６の雌ねじ孔２４に螺合されており、当該ボルト２０がラックの表面側に現れないため、安全性と意匠性に優れたものとなる。
【００２２】
そして、コーナー金具１８の下側水平片１８ｃの先端に支柱当接面３０が形成されているので、棚固定金具１６の雌ねじ孔２４にボルト２０を螺入させていくと、支柱１４における棚固定金具１６の固定部分に引張応力が与えられるが、これと同時に、支柱１４に対して引張応力が与えられる部分近傍に、コーナー金具１８の支柱当接面３０から押圧力が与えられるようになる。その結果、支柱１４と棚板１２との連結の際に支柱１４に加わるこれらの応力が互いに打ち消されるようになり、支柱１４と棚板１２とを連結する際に、支柱１４に与えるダメージを極小化させることができると共に、支柱１４と棚板１２とを強固に連結することができるようになる。
【００２３】
なお、上述の実施形態では、コーナー金具１８として、上側水平片１８ｂを有するものを示したが、コーナー金具１８にこのような上側水平片１８ｂを設けずに、棚板１２を棚固定金具１６の上端に直接係止させるようにしてもよい。
【００２４】
また、コーナー金具１８の下側水平片１８ｃとして、支柱１４に棚板１２を固定する際に棚固定金具１６の外周を囲繞する形状のものを示したが、この下側水平片１８ｃは、その先端に、支柱１４の外面における棚固定金具１６の固定位置近傍に当接する支柱当接面３０が形成されたものであれば如何なる形状であってもよく、上記のものに限定されるものではない。
【符号の説明】
【００２５】
１０…ラック
１２…棚板
１２ａ…側面部
１２ｂ…コーナー部
１４…支柱
１６…棚固定金具
１６ａ…対向片
１６ｂ…架設片
１８…コーナー金具
１８ａ…垂直片
１８ｂ…上側水平片
１８ｃ…下側水平片
２０…ボルト
２２…係止穴
２４…雌ねじ孔
２６…爪部
２８…ボルト挿通孔
３０…支柱当接面
【図１】
2015084932.tif 000003
【図２】
2015084932.tif 000004
【図３】
2015084932.tif 000005
【図４】
2015084932.tif 000006
【図５】
2015084932.tif 000007